(57)【要約】【課題】モバイル端末で大容量のファイルが添付されたメールを送信する方法およびシステムを提供する。【解決手段】大容量のファイルが添付されたメールの送信方法は、モバイル端末にインストールされたメールクライアントから送信者によって送信要請されたメールを受信し、メールに含まれた添付ファイルを分離し、添付ファイルをクラウド格納場所に格納し、メールで添付ファイルをクラウド格納場所に格納された位置の情報に替えてメールを送信することを含む。【選択図】図３
2014149813.tif 000002
【特許請求の範囲】
【請求項１】
モバイル環境でメールを送信するメール送信システムであって、
モバイル端末にインストールされたメールクライアント（ｍａｉｌ  ｃｌｉｅｎｔ）から送信者によって送信要請されたメールを受信するメールサーバ、および
前記メールに含まれた添付ファイルを格納するためのクラウド格納場所
を含み、
前記メールサーバは、
前記添付ファイルを前記クラウド格納場所に格納した位置の情報に替えて前記メールを送信すること
を特徴とする、大容量メール送信システム。
【請求項２】
前記メールサーバは、
前記メールに含まれた添付ファイルを前記メールと分離し、前記添付ファイルを前記クラウド格納場所に格納するファイル制御部、および
前記添付ファイルの代わりとして、前記クラウド格納場所に格納した位置の情報が添付された前記メールを送信するメール送信部
を含む、請求項１に記載の大容量メール送信システム。
【請求項３】
前記メールサーバは、
前記モバイル端末から受信された前記メールを標準ＳＭＴＰ（ｓｉｍｐｌｅ  ｍａｉｌ  ｔｒａｎｓｆｅｒ  ｐｒｏｔｏｃｏｌ）によって送信すること
を特徴とする、請求項１に記載の大容量メール送信システム。
【請求項４】
前記メールサーバは、
前記メールおよび前記添付ファイルについて、送信が中断された部分からのデータ送信を再開する継続送信機能を動作させること
特徴とする、請求項１に記載の大容量メール送信システム。
【請求項５】
モバイル端末でメールを送信するメール送信システムであって、
前記モバイル端末は、
使用者によって作成されたメールに、前記使用者によって指定された添付ファイルを含んでメールサーバに送信するメールクライアント
を含み、
前記添付ファイルは、前記メールサーバで分離されてクラウド格納場所に格納された後、前記メールの送信時に、前記クラウド格納場所に格納された位置の情報に替えて送信されること
を特徴とする、大容量メール送信システム。
【請求項６】
モバイル環境でメールを送信するメール送信方法であって、
モバイル端末にインストールされたメールクライアントから送信者によって送信要請されたメールを受信し、
前記メールに含まれた添付ファイルを分離し、前記添付ファイルをクラウド格納場所に格納し、
前記メールで前記添付ファイルを前記クラウド格納場所に格納した位置の情報に替えて前記メールを送信すること
を含む、大容量メール送信方法。
【請求項７】
前記メール送信方法は、
前記モバイル端末から受信された前記メールを標準ＳＭＴＰによって送信すること
を特徴とする、請求項６に記載の大容量メール送信方法。
【請求項８】
前記メール送信方法は、
前記メールおよび前記添付ファイルについて、送信が中断された部分からのデータ送信を再開する継続送信を行うこと
をさらに含む、請求項６に記載の大容量メール送信方法。
【請求項９】
コンピュータシステムがモバイル端末でメールを送信するように制御する命令を含むコンピュータで読み取り可能な格納媒体であって、
前記命令は、
モバイル端末にインストールされたメールクライアントから送信者によって送信要請されたメールを受信し、
前記メールに含まれた添付ファイルを分離し、前記添付ファイルをクラウド格納場所に格納し、
前記メールで前記添付ファイルを前記クラウド格納場所に格納した位置の情報に替えて前記メールを送信すること
を含む方法によって前記コンピュータシステムを制御する、コンピュータで読み取り可能な格納媒体。
【発明の詳細な説明】
【技術分野】
【０００１】
本発明は、モバイル端末機で標準ＳＭＴＰを利用して大容量のファイルが添付されたメールを送信することができる方法およびシステムに関する。
【背景技術】
【０００２】
最近発売されているスマートフォンは、無線インターネット機能によってインターネットおよびコンピュータと接続し、電子メール、ウェブブラウジング、ファックス、バンキング、ゲームなど、端末機として多様な機能を担うことができる。
【０００３】
図１を参照しながら、標準の通信規約であるＳＭＴＰ（ｓｉｍｐｌｅ  ｍａｉｌ  ｔｒａｎｓｆｅｒ  ｐｒｏｔｏｃｏｌ）を利用した電子メールの送信の手順について説明すれば、次のとおりとなる。
【０００４】
送信者は、メールクライアント（ｍａｉｌ  ｃｌｉｅｎｔ）がインストール（ｉｎｓｔａｌｌ）された端末１０１で電子メールの内容を作成して添付ファイルを指定した後、添付ファイルが含まれた電子メールの送信を要請する。
【０００５】
このとき、送信者の端末１０１上のメールクライアントでは、送信者が作成した電子メールの内容をＳＭＴＰサーバ１００に送信すると同時に、送信者によって指定された添付ファイルをＳＭＴＰサーバ１００にアップロードする。
【０００６】
送信者が作成した電子メールの内容が添付ファイルと共に受信者に伝達されるように、ＳＭＴＰサーバ１００では、添付ファイルが含まれた電子メールを、インターネット１０２を通じて該当するサービスのメールサーバに送信する。
【０００７】
コンピュータ、超高速インターネット、マルチメディア機器などの発展に伴ってデータ処理と通信速度が急速に高速化するにつれて、使用者が取り扱うデータの容量も急激に大容量化している。このようなデータの大容量化により、スマートフォンを使ってメールに添付する内容も、写真や動画などと次第に大容量化している。
【０００８】
しかし、標準メールサーバでは、個別のメール容量を数１０ＭＢ（ｍｅｇａ  ｂｙｔｅｓ）（例えば、１０ＭＢ）に制限しているという実情がある。
【０００９】
これに関して、韓国公開特許第１０−２００４−００８３３９６号（公開日２００４年１０月０１日）では、ウェブ上で電子メールを通じて送受信されるファイルの大容量化に関し、大容量ファイルを格納するための格納場所として、ホーム−ストレージを利用する技術が開示されている。
【００１０】
また、図２に示すように、ウェブメールサービスでは、送信者がウェブメールサーバ２００に接続したブラウザ２０１を通じて電子メールを作成する場合、送信者によって指定された大容量の添付ファイルをブラウザ２０１から別途のクラウド格納場所２１０に直接アップロードする。これにより、ウェブメールサーバ２００からクラウド格納場所２１０に格納された添付ファイルのＵＲＬを電子メールの内容に添付して受信者に送信する方式が使用されている。
【００１１】
しかし、スマートフォンなどの標準ＳＭＴＰを使用するモバイル環境のメールクライアントでは、個別のメールサービスにおいて大容量のファイル添付のためのクラウドの格納場所を直接使用することができないため、図２のような方法を適用することができず、依然として数１０ＭＢに制限された容量内でメールを送信するしかない。
【００１２】
本明細書では、モバイル環境における標準ＳＭＴＰを利用した大容量のファイル添付メールの送信技術を提案する。
【発明の概要】
【発明が解決しようとする課題】
【００１３】
本発明は、モバイル端末機で標準ＳＭＴＰを利用して大容量のファイル添付メールを送信することができる方法およびシステムを提供することを目的とする。
【課題を解決するための手段】
【００１４】
本発明の実施形態によれば、大容量メール送信システムは、モバイル端末にインストールされたメールクライアント（ｍａｉｌ  ｃｌｉｅｎｔ）から送信者によって送信要請されたメールを受信するメールサーバ、およびメールに含まれた添付ファイルを格納するためのクラウド格納場所を含んでもよい。このとき、メールサーバは、添付ファイルに替えて添付ファイルをクラウド格納場所に格納したときの位置情報をメールで送信してもよい。
【００１５】
本発明の一実施形態において、メールサーバは、メールに含まれた添付ファイルを分離して添付ファイルをクラウド格納場所に格納するファイル制御部、および添付ファイルの代わりとして、添付ファイルがクラウド格納場所に格納されたときの位置情報が添付されたメールを送信するメール送信部を含んでもよい。
【００１６】
さらに他の実施形態において、メールサーバは、モバイル端末から受信したメールを標準ＳＭＴＰ（ｓｉｍｐｌｅ  ｍａｉｌ  ｔｒａｎｓｆｅｒ  ｐｒｏｔｏｃｏｌ）によって送信してもよい。
【００１７】
さらに他の実施形態において、メールサーバは、メールおよび添付ファイルについて、送信が中断された部分のデータ送信を再開する継続送信機能を提供してもよい。
【００１８】
本発明の実施形態によれば、モバイル端末でメールを送信するメール送信システムであって、モバイル端末は、使用者によって作成されたメールに、使用者によって指定された添付ファイルを含んでメールサーバに送信するメールクライアントを含み、添付ファイルは、メールサーバで分離されてクラウド格納場所に格納された後、メールの送信時に、クラウド格納場所に格納されたときの位置情報に替えて送信されてもよい。
【００１９】
本発明の実施形態によれば、モバイル端末にインストールされたメールクライアントから送信者によって送信要請されたメールを受信し、メールに含まれた添付ファイルを分離し、添付ファイルをクラウド格納場所に格納し、添付ファイルに替えて添付ファイルをクラウド格納場所に格納したときの位置情報をメールで送信することを含む、大容量メール送信方法が提供される。
【発明の効果】
【００２０】
本実施形態によれば、ＳＭＴＰ送信時点で電子メールに含まれている大容量の添付ファイルを分離してクラウド格納場所に格納し、ＵＲＬに替えて電子メールを送信する方式を採用することにより、標準メールサーバでメールの容量を減らして送信処理をすることができる。
【００２１】
さらに、本実施形態によれば、クラウド格納場所が分からない若しくは使用するのが難しいＳＭＴＰメールのクライアント側で大容量のファイル添付が可能となるため、モバイル環境における大容量のファイル添付に関するメールサービスを効果的に行うことができる。
【図面の簡単な説明】
【００２２】
【図１】一般的な標準ＳＭＴＰを利用したメール送信の手順を示した図である。
【図２】ウェブメールで大容量のファイル添付メールを送信する手順を示した図である。
【図３】本発明の一実施形態において、モバイル端末における標準ＳＭＴＰを利用した大容量のファイル添付メールの送信の手順を示した図である。
【図４】本発明の一実施形態において、モバイル端末で標準ＳＭＴＰを利用して大容量のファイル添付メールを送信する大容量のファイル添付メール送信システムの内部構成を示したブロック図である。
【図５】本発明に係る大容量のファイル添付メールの継続送信のためのデータ送信方法を示したフローチャートである。
【発明を実施するための形態】
【００２３】
以下、本発明の実施形態について、添付の図面を参照しながら詳細に説明する。
【００２４】
本実施形態では、インターネット上で電子メールを送信するときに使用される標準プロトコルであるＳＭＴＰを利用してモバイル端末で大容量のファイル添付メールを送信することができる大容量のファイル添付メールの送信方法およびシステムを提案する。
【００２５】
本発明に係るメールの送信方法およびシステムは、標準ＳＭＴＰによる既存のメール送信手順を修正して適用したものであって、モバイル端末で標準ＳＭＴＰを利用して大容量のファイル添付メールを送信しようとする場合、ＳＭＴＰサーバで容量超過として処理するのではなく、大容量の添付ファイルを分離して別途のクラウド格納場所に格納した後、大容量の添付ファイルをＵＲＬに替えてメールを送信する方式を適用してもよい。
【００２６】
本明細書において、「モバイル端末」とは移動式端末機であって、スマートフォン（ｓｍａｒｔ  ｐｈｏｎｅ）、ノート型パソコン（ｌａｐｔｏｐ  ｃｏｍｐｕｔｅｒ）、デジタル放送用端末機、ＭＰ３プレーヤ、タブレット（ｔａｂｌｅｔ）、ＰＭＰ（Ｐｏｒｔａｂｌｅ  Ｍｕｌｔｉｍｅｄｉａ  Ｐｌａｙｅｒ）、ナビゲーションなどのように携帯性または移動性を有する端末機であれば、いずれの端末機でもよい。
【００２７】
また、「大容量のファイル添付メール」とは、標準メールサーバで制限している容量を超過するファイルが添付されたメールを意味してもよい。例えば、メールに１０ＭＢを超えるファイルが添付される場合、そのメールは大容量のファイル添付メールとして区分されてもよい。
【００２８】
また、「クラウド格納場所」とは、メールサービスでファイル格納機能を提供するためのネットワーク上のデータ格納空間であって、本実施形態では、大容量のファイル添付専用の格納場所を意味してもよい。
【００２９】
図３は、モバイル端末で標準ＳＭＴＰを利用して大容量のファイル添付メールを送信する手順を示した図である。
【００３０】
図３を参照すれば、送信者は、モバイル端末上にインストールされたメールクライアント（ｍａｉｌ  ｃｌｉｅｎｔ）３０１を利用して電子メールの本文を作成すると同時に、そのメールに添付しようとするファイルを指定する。このとき指定された添付ファイルは、制限容量を超過する大容量ファイルとする。
【００３１】
メールクライアントは、大容量ファイルが添付されたメールを標準ＳＭＴＰによるメッセージ形態でＳＭＴＰサーバ３００に伝達する。これにより、ＳＭＴＰサーバ３００では、電子メールの本文に含まれた大容量の添付ファイルを分離してクラウド格納場所３１０に格納し、ＵＲＬに替えてメールを送信してもよい。
【００３２】
図４は、モバイル端末における標準ＳＭＴＰを利用した大容量のファイルが添付されたメールの送信システムの内部構成を示したブロック図である。
【００３３】
図４に示すように、大容量のファイル添付メールの送信システムとは、メール送信サーバであるＳＭＴＰサーバ４００を意味する。ＳＭＴＰサーバ４００は、メール受信部４２０、ファイル制御部４３０、およびメール送信部４４０を含んで構成されてもよい。
【００３４】
メール受信部４２０は、モバイル端末上にインストールされたメールクライアントから送信者によって作成された大容量のファイルが添付されたメールを受信してもよい。
【００３５】
ファイル制御部４３０は、電子メールの本文に含まれた大容量の添付ファイルを分離し、添付ファイルをクラウド格納場所に格納する役割を行う。
【００３６】
メール送信部４４０は、電子メールの本文に大容量の添付ファイルに替えて大容量の添付ファイルをクラウド格納場所に格納したときの位置情報（ＵＲＬ）を記載してメールを送信してもよい。すなわち、メール送信部４４０は、大容量の添付ファイルの代わりとして、クラウド格納場所に格納されたときの位置情報が添付されたメールを送信してもよい。
【００３７】
このような構成によれば、モバイル端末で標準ＳＭＴＰを利用して大容量のファイル添付メールを送信するために、ＳＭＴＰサーバ４００でメール本文に含まれた大容量の添付ファイルを分離して別途の格納空間に格納し、ＵＲＬに替えてメールの送信を処理できるようにメール送信の通信規約を変形することができる。
【００３８】
したがって、本実施形態では、ＳＭＴＰ送信時点で電子メールに含まれた大容量の添付ファイルを分離してクラウド格納場所に格納し、ＵＲＬに替えて電子メールを送信する方式を適用することにより、標準メールサーバでメールの容量を減らして送信処理することができ、標準ＳＭＴＰによるモバイル端末のメールクライアント側でクラウド格納場所が分からない若しくは使用することが難しいという場合であっても、大容量のファイル添付が可能であるという利点がある。
【００３９】
さらに、本実施形態では、モバイル端末からメールサーバ側に大容量のファイル添付メールを送信する途中、あるいはメールサーバからクラウド格納場所に大容量の添付ファイルを送信する途中に、ネットワークの切断や混線、システム異常などの理由によってデータ送信が中断する場合に、データを最初から再送する必要がなく、送信が中断した時点のデータから送信を再開する「継続送信」機能を提供することができる。
【００４０】
本実施形態では、データを送信する側でデータを受け取る対象との接続状態をチェックして継続送信を行ったり、データを受け取る側でデータを送信する対象との接続状態をチェックして継続送信を行うなど、既に公知の多くの技術のうちの少なくとも１つの継続送信技術を利用してもよい。
【００４１】
図５は、本発明に係る大容量のファイルが添付されたメールの継続送信のためのデータ送信方法を示したフローチャートである。一例として、以下では、モバイル端末５０１がＳＭＴＰサーバ５００との接続状態をチェックして中断されたデータを継続送信する方式について概略的に説明する。
【００４２】
図５に示すように、モバイル端末上のメールクライアント５０１は、ＳＭＴＰサーバ５００との接続に成功すれば、ＳＭＴＰサーバ５００にＥＨＬＯ命令語を送信してもよい（Ｓ１）。このとき、ＥＨＬＯ命令語を受信したＳＭＴＰサーバ５００は、チェックポイント（ＣＨＥＣＫ  ＰＯＩＮＴ）として表示される継続送信を提供するか否かを示す情報が含まれた応答コードをメールクライアント５０１に送信してもよい（Ｓ２）。
【００４３】
応答コードを受信したメールクライアント５０１は、ＳＭＴＰサーバ５００が継続送信機能を動作させれば（Ｓ３）、ＳＭＴＰサーバ５００に送信しようとするデータの識別情報をデータ送信命令の送信識別情報区間（ＴＲＡＮＳＩＤ）に含めてＳＭＴＰサーバ５００に送信してもよい（Ｓ４）。これにより、ＳＭＴＰサーバ５００は、データ送信命令の送信識別情報区間に含まれた識別情報を格納した後、応答コードをメールクライアント５０１に送信してもよい（Ｓ５〜Ｓ６）。
【００４４】
この後、メールクライアント５０１とＳＭＴＰサーバ５００は、ＲＣＰＴ、応答、データ送信、応答、ＱＵＩＴなどの手順を経た後、送信中断となった時点以降のデータについての継続送信を行ってもよい（Ｓ７〜Ｓ１２）。
【００４５】
上述したように、大容量のファイルが添付されたメールの送信中にネットワークの切断や混線、システム異常などの理由によってメール送信が中断されれば、モバイル端末上にインストールされたメールクライアント５０１は、所定の時間ごとにＳＭＴＰサーバ５００との接続を試み、送信中断となったメールの継続送信を行ってもよい。特に、本実施形態では、大容量の添付ファイルに対して上述した継続送信技術を適用することにより、ＳＭＴＰサーバ５００からクラウド格納場所に継続送信を行ってもよい。
【００４６】
したがって、本実施形態では、大容量の添付ファイルについてクラウド格納場所に継続送信を行うことにより、モバイル環境でさらに効果的に大容量のファイルが添付されたメールを送信することができる。
【００４７】
以上で説明された装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる他のあらゆる装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答してデータをアクセス、格納、操作、処理、および生成してもよい。理解の便宜のために、処理装置は１つ使用される場合として説明したが、当該技術分野において通常の知識を有する者は、処理装置が複数の処理要素（ｐｒｏｃｅｓｓｉｎｇ  ｅｌｅｍｅｎｔ）および／または複数類型の処理要素を含んでもよいことを理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００４８】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望したとおりに作動するように処理装置を構成したり、独立的または結合的に（ｃｏｌｌｅｃｔｉｖｅｌｙ）処理装置を命令してもよい。ソフトウェアおよび／またはデータは、処理装置に基づいて解釈されたり、処理装置に命令またはデータを提供するために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具体化（ｅｍｂｏｄｙ）されてもよい。ソフトウェアは、ネットワークで接続されるコンピュータシステム上に分散され、分散した方法によって格納されたり実行されてもよい。ソフトウェアおよびデータは、１つ以上のコンピュータで読み取り可能な記録媒体に格納されてもよい。
【００４９】
本実施形態に係る地図サービス方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェアの当業者に公知な使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００５０】
以上のように、実施形態を限定された実施形態と図面に基づいて説明したが、当該技術分野において通常の知識を有する者であれば、上述した記載から多様な修正および変形が可能であることが理解できるであろう。例えば、説明された技術が説明された方法とは異なる順序で実行されたり、説明されたシステム、構造、装置、回路などの構成要素が説明された方法とは異なる形態で結合または組み合わされたり、他の構成要素または均等物によって対置されたり置換されたとしても、適切な結果を達成することができる。
【００５１】
したがって、異なる実施形態であっても、特許請求の範囲と均等なものであれば、添付される特許請求の範囲に属する。
【符号の説明】
【００５２】
３００：ＳＭＴＰサーバ
３１０：クラウド格納場所
４２０：メール受信部
４３０：ファイル制御部
４４０：メール送信部
【図１】
2014149813.tif 000003
【図２】
2014149813.tif 000004
【図３】
2014149813.tif 000005
【図４】
2014149813.tif 000006
【図５】
2014149813.tif 000007